(57)【要約】【課題】被検体をこすり取りまたは拭き取る動作時の力に耐え、且つ、折れ易いサンプリング用具を提供する。【解決手段】サンプリング用具は、薄くて幅広の軸板を有するサンプリング用具であって、幅方向に所定幅で且つ厚さ方向には軸板の厚さを有する切り込みを設ける。また、切り込みは軸板の幅方向の両側に設ける。軸板の幅方向の肉厚を、幅方向の両側部分を厚くし内側部分を薄くする。【選択図】図１
2008190988.tif 000002
【特許請求の範囲】
【請求項１】
薄くて幅広の軸板を有するサンプリング用具であって、幅方向に所定幅で且つ厚さ方向には軸板の厚さを有する切り込みを設けたことを特徴とするサンプリング用具。
【請求項２】
前記切り込みは前記軸板の幅方向の両側に設けたことを特徴とする請求項１記載のサンプリング用具。
【請求項３】
前記切り込みの位置を、軸板の採取部材を設ける側の端部から、軸板の採取部材を設ける領域の軸方向の長さの２倍としたことを特徴とする請求項１又は２記載のサンプリング用具。
【請求項４】
前記切り込みを、軸板の長さ方向と直交する面と軸板の長さ方向と所定角度となる面で構成したことを特徴とする請求項１乃至３のいずれか１項記載のサンプリング用具。
【請求項５】
前記軸板の幅方向の肉厚を、幅方向の両側部分を厚くし内側部分を薄くしたことを特徴とする請求項１乃至４のいずれか１項記載のサンプリング用具。
【請求項６】
前記切り込みを前記幅方向の肉厚を厚くする両側部分に設けたことを特徴とする請求項１乃至５のいずれか１項記載のサンプリング用具。
【発明の詳細な説明】
【技術分野】
【０００１】
本発明は、被検体を採取した後に検体用容器に収納することができるようにしたサンプリング用具に関する。
【背景技術】
【０００２】
従来、綿棒により被検体をこすり取りまたは拭き取り、その綿棒を被検体容器に入れて検査に回すことが行われている。そのとき、綿棒が容器の蓋と一体では使いづらいということから、被検体を採取した後、容器に入るように折って、綿の部分を容器に収納する。
図３は従来の綿棒を折る態様を説明する図である。
図３で特許文献１に示される綿棒を折る態様を説明する。
綿棒１０は、予め設けられた折線１１のところで綿棒１０の軸１２の余剰端部１３を折り除いて所定の長さとする。所定の長さとした綿棒１０は、キャップ部（図示省略）の４本のリブ（図示省略）により保持する。
【０００３】
【特許文献１】特開２００４−１９４５３９号公報
【発明の開示】
【発明が解決しようとする課題】
【０００４】
上記特許文献１に示される綿棒１０は、軸１２が略正４角柱状なので、折線１１を入れると、軸１２のあらゆる面への印加力が同じように作用して、被検体をこすり取りまたは拭き取る動作時には、折線１１の形成方向や位置に殆ど関係なく折れやすくなる。
綿棒１０は、折れやすいことも必要であるが、しかしながら、被検体をこすり取りまたは拭き取る動作時の力に耐える必要がある。その点で特許文献１の綿棒は必要な要件を満たさず好ましくない。
【０００５】
本発明の目的は、被検体をこすり取りまたは拭き取る動作時の力に耐え、且つ、折れ易い綿棒状のサンプリング用具を提供することにある。
【課題を解決するための手段】
【０００６】
本発明は上記目的を達成するために以下の解決手段を採用する。
本発明のサンプリング用具は、薄くて幅広の軸板を有するサンプリング用具であって、幅方向に所定幅で且つ厚さ方向には軸板の厚さを有する切り込みを有する。
また、切り込みは軸板の幅方向の両側に設ける。切り込みの位置を、軸板の採取部材を設ける側の端部から、軸板の採取部材を設ける領域の軸方向の長さの２倍とする。
また、切り込みを、軸板の長さ方向と直交する面と軸板の長さ方向と所定角度となる面で構成する。切り込みを幅方向の肉厚を厚くする両側部分に設ける。
また、軸板の幅方向の肉厚を、幅方向の両側部分を厚くし内側部分を薄くする。
【発明の効果】
【０００７】
本発明のサンプリング用具は、軸板が幅広のため、幅が狭い従来の棒に比べて、被検体をこすり取りまたは拭き取る動作時の力に問題なく耐えることができる。また、軸板の幅方向の肉厚を、幅方向の両側部分を厚くし内側部分を薄くすることで、従来の棒に比べて、被検体をこすり取りまたは拭き取る動作時の力に問題なく耐えることができる。また、切り込みを軸板の幅方向の両側に設けたので、折れ易くすることができる。
【発明を実施するための最良の形態】
【０００８】
本発明の実施の形態を図に基づいて詳細に説明する。
【実施例】
【０００９】
図１は本発明のサンプリング用具の構成図である。図１（ａ）は採取部材の上面図（平面図）、図１（ｂ）は採取部材を取り外したサンプリング用具の上面図（平面図）、図１（ｃ）はサンプリング用具の上面図（平面図）、図１（ｄ）は図１（ａ）のＡ−Ａから見た側面図、図１（ｅ）は図１（ｂ）のＢ−Ｂから見た側面図、図１（ｆ）は図１（ｃ）のＣ−Ｃから見た側面図である。
【００１０】
採取部材１は、図１（ａ）に上面を又図１（ｄ）に側面を示すように、一方のみに開口を有する袋体に形成され、被検体をこすり取りまたは拭き取ることができる織布又は不織布で、繊維の綿、ナイロンやポリエステル等のプラスチック、セルロースのような炭水化物材料からなる。
軸板２は、厚さが薄く、幅が厚さに比べて広い幅広で、長さが厚さに比べて大幅に長い長尺状の板体で、幅方向に所定幅で且つ厚さ方向には軸板の厚さを有する切り込み３を有する。
【００１１】
軸板２は、基本的には、軸板２の幅方向の肉厚を、幅方向の両側部分を厚くし内側部分を薄くする。詳細には、幅広面の綿側を除く３辺側に肉厚部４を形成し、肉厚部４に囲まれた中央部を肉薄部５に形成し、採取部材を設ける領域６の板厚を他の領域より薄く形成する。さらに、この採取部材を設ける領域６の表面を粗面に形成する。
軸板２は、また、切り込み３を軸板２の幅方向の両側に設ける。また、切り込み３の位置を、軸板２の採取部材を設ける領域６側の端部から、軸板２の採取部材を設ける領域６の軸方向の長さの略２倍とする。切り込み３を、軸板２の長さ方向と直交する面３ａと軸板２の長さ方向と所定角度となる面３ｂで構成する。また、切り込み３を幅方向の肉厚を厚くする両側部分に設ける。
【００１２】
軸板２の材料は、被検体をこすり取りまたは拭き取るときの力には耐えるが、それ以上の折るときの力には耐えられずに折れる特性を有する樹脂材料であればどのようなものであってもよい。
組立時、軸板２の領域６の採取部材用の粗面に採取部材１の袋体を被せ、領域６の粗面に接着剤を貼着し採取部材の袋体を接着させる。接着剤の代わりに溶着手段でもよい。
【００１３】
図２は本発明のサンプリング用具の折って切り離す態様を説明する図である。
折って切り離すとき、図２に示すサンプリング用具において、軸板２の切り込み３から採取部材１までを任意の容器７等に当接固定しながら、軸板２の操作部８（採取部材側と反対側）を当接方向に対し９０°回転するように力を加える。その結果、切り込み３の一方を支点として、他方の切り込み部分を伸ばすことになる。このとき、両切り込み３間の長さが長いので、作用点となる他方の切り込み３部分の伸びる長さが長くなり、破断する。
このとき、一方の切り込み３は支点側が回動し易くし、他方の切り込み３は伸びたときに切れ目が生じやすくする。
【００１４】
仮に、図２に示すサンプリング用具において、採取部材１の上に軸板の幅広部が重なる向きに折り曲げると、厚さ方向で折り曲げに伴う伸びによる歪みが発生するが、厚さが薄いので、伸びによる歪みが小さく、折れ曲がるが切り離せなくなることも予想される。
この場合には、上記のように、図２において、紙面内で、一方の切り込みを支点とし、他方の切り込みを破断させるように力を加えて折る。
切り込みの形状は、上記実施例の形状に限らず、上記のように折って切り離すことができる形状であればどのようなものでもよい。
【００１５】
本発明の実施例では、軸板は、厚さが３．０ｍｍで、幅が５．０ｍｍで、長さが１２３．０ｍｍで、採取部材で被覆される領域の軸方向長さが２２．５ｍｍ、厚さが２．０ｍｍで、綿側の端部からの長さ方向の切り込みの位置が４５．０ｍｍ、切り込みの幅方向の深さが０．５ｍｍである。
なお、軸板の中央の肉薄部を何も設けない空間として形成し、幅方向の両側部分のみに肉厚部を設ける構成としてもよい。
【図面の簡単な説明】
【００１６】
【図１】本発明のサンプリング用具の構成図である。
【図２】本発明のサンプリング用具の折って切り離す態様を説明する図である。
【図３】従来の綿棒を折る態様を説明する図である。
【符号の説明】
【００１７】
１…採取部材、２…軸板、３…切り込み、４…肉厚部、５…肉薄部、６…採取部材を設ける領域、７…容器、８…操作部
【図１】
2008190988.tif 000003
【図２】
2008190988.tif 000004
【図３】
2008190988.tif 000005